(57)【要約】【課題】  使用状況に応じて適正な画像フォルダを自動的に生成することで、容易に複数の画像ファイルを管理できる撮像装置及び撮像方法を提供する。【解決手段】  被写体を撮影しこの画像情報に応じて、作成日時Ｔ１を伴う画像ファイルを作成する作成部１５と、記録領域を有する記録部１４，１９と、記録領域内に作成されている画像フォルダの作成日時を検出し、画像ファイルの作成日時Ｔ１から画像フォルダの作成日時Ｔ２までの期間が、予め設定された日時間隔（Ｃｆ．１日、１週間、１ヶ月等）よりも長い場合、新たに画像フォルダを記録部の記憶領域内に作成し、この下に作成部で作成した画像ファイルを格納するべく制御する制御部１８とをもつ撮像装置。【選択図】図１
2006074208.tif 000002
【特許請求の範囲】
【請求項１】
被写体を撮影しこの画像情報に応じて作成日時を伴う画像ファイルを作成する作成部と、
記録領域を有する記録部と、
前記記録領域内に作成されている画像フォルダの作成日時を検出し、前記画像ファイルの作成日時から前記画像フォルダの作成日時までの期間が、予め設定された日時間隔よりも長い場合、新たに画像フォルダを前記記録部の記憶領域内に作成し、この下に前記作成部で作成した前記画像ファイルを格納するべく制御する制御部と、
を具備することを特徴とする撮像装置。
【請求項２】
前記制御部は、前記日時間隔を決定する際に、ユーザにより設定された起算日時に応じて、決定することを特徴とする請求項１記載の撮像装置。
【請求項３】
前記日時範囲を設定するための画面を表示する表示部を更に有することを特徴とする請求項１記載の撮像装置。
【請求項４】
被写体を撮影しこの画像情報に応じて作成日時を伴う画像ファイルを作成する作成部と、
記憶領域を有する記録部と、
前記記録領域内に作成されている画像フォルダ中に含まれる画像ファイルの作成日時を検出し、前記作成部で作成した画像ファイルの作成日時から前記画像フォルダ中の画像ファイルの作成日時までの期間が、予め設定された日時間隔よりも長い場合、新たに画像フォルダを前記記録部の記憶領域内に作成して、この下に前記作成部で作成した前記画像ファイルを格納するべく制御する制御部とを具備することを特徴とする撮像装置。
【請求項５】
前記制御部は、前記画像フォルダに含まれる前記画像ファイルの数が所定数以上である場合、前記新たな画像フォルダの作成を決定することを特徴とする請求項４記載の撮像装置。
【請求項６】
被写体を撮影しこの画像情報に応じて作成日時を伴う画像ファイルを作成する作成部と、
記憶領域を有する記録部と、
前記記録領域内に作成されている画像フォルダ中の最新の画像ファイルの作成日時を検出し、この作成日時以降の前記撮像装置の動作の履歴情報に基づく判断に応じて、新たに画像フォルダを前記記録部の記憶領域内に作成し、この下に前記作成部で作成した前記画像ファイルを格納するべく制御する制御部とを具備することを特徴とする撮像装置。
【請求項７】
前記制御部は、前記既に作成された画像フォルダ中の最新の画像ファイルの作成日時以降に、画像ファイルの転送履歴がある場合、又は、前記撮像装置に着脱可能なメモリ素子の着脱履歴がある場合、新たに画像フォルダを作成し、前記作成部で作成した前記画像ファイルを格納するべく制御することを特徴とする請求項６記載の撮像装置。
【請求項８】
前記制御部は、前記既に作成された画像フォルダ中の最新の画像ファイルの作成日時以降に、画像ファイルの印刷命令履歴がある場合、新たに画像フォルダを作成し、前記作成部で作成した前記画像ファイルを格納するべく制御することを特徴とする請求項６記載の撮像装置。
【請求項９】
前記制御部は、前記既に作成された画像フォルダ中の最新の画像ファイルの作成日時以降に、前記撮像装置の充電池の充電履歴、又は、電池交換履歴がある場合、新たに画像フォルダを作成し、前記作成部で作成した前記画像ファイルを格納するべく制御することを特徴とする請求項６記載の撮像装置。
【請求項１０】
前記制御部は、前記既に作成された画像フォルダ中の最新の画像ファイルの作成日時以降に、前記作成部の撮影の撮影モードを変更した変更履歴がある場合、新たに画像フォルダを作成し、前記作成部で作成した前記画像ファイルを格納するべく制御することを特徴とする請求項６記載の撮像装置。
【請求項１１】
被写体を撮影しこの画像情報に応じて、作成日時を伴う画像ファイルを作成し、
記録領域内に作成されている画像フォルダの作成日時を検出し、前記画像ファイルの作成日時から前記画像フォルダの作成日時までの期間が、予め設定された日時間隔よりも長い場合、新たに画像フォルダを前記記憶領域内に作成し、この下に前記画像ファイルを格納するべく制御することを特徴とする撮像方法。
【請求項１２】
前記日時間隔を決定する際に、ユーザにより設定された起算日時に応じて、決定することを特徴とする請求項１１記載の撮像方法。
【請求項１３】
前記日時範囲を設定するための画面を表示することを特徴とする請求項１１記載の撮像方法。
【請求項１４】
被写体を撮影しこの画像情報に応じて、作成日時を伴う画像ファイルを作成し、
記録領域内に作成されている画像フォルダ中に含まれる画像ファイルの作成日時を検出し、前記作成した画像ファイルの作成日時から前記画像フォルダ中の画像ファイルの作成日時までの期間が、予め設定された日時間隔よりも長い場合、新たに画像フォルダを前記記憶領域内に作成して、この下に前記作成した前記画像ファイルを格納するべく制御することを特徴とする撮像方法。
【請求項１５】
前記画像フォルダに含まれる前記画像ファイルの数が所定数以上である場合、前記新たな画像フォルダの作成を決定することを特徴とする請求項１４記載の撮像方法。
【請求項１６】
被写体を撮影しこの画像情報に応じて、作成日時を伴う画像ファイルを作成し、
記録領域内に作成されている画像フォルダ中の最新の画像ファイル作成日時を検出し、この作成日時以降の前記撮像装置の動作の履歴情報に基づく判断に応じて、新たに画像フォルダを前記記憶領域内に作成し、この下に前記作成した前記画像ファイルを格納するべく制御することを特徴とする撮像方法。
【請求項１７】
前記既に作成された画像フォルダ中の最新の画像ファイルの作成日時以降に、画像ファイルの転送履歴がある場合、又は、前記撮像装置に着脱可能なメモリ素子の着脱履歴がある場合、新たに画像フォルダを作成し、前記作成した前記画像ファイルを格納するべく制御することを特徴とする請求項１６記載の撮像方法。
【請求項１８】
前記既に作成された画像フォルダ中の最新の画像ファイルの作成日時以降に、画像ファイルの印刷命令履歴がある場合、新たに画像フォルダを作成し、前記作成した前記画像ファイルを格納するべく制御することを特徴とする請求項１６記載の撮像方法。
【請求項１９】
前記既に作成された画像フォルダ中の最新の画像ファイルの作成日時以降に、前記撮像装置の充電池の充電履歴、又は、電池交換履歴がある場合、新たに画像フォルダを作成し、前記作成した前記画像ファイルを格納するべく制御することを特徴とする請求項１６記載の撮像方法。
【請求項２０】
前記既に作成された画像フォルダ中の最新の画像ファイルの作成日時以降に、前記撮影の撮影モードを変更した変更履歴がある場合、新たに画像フォルダを作成し、前記作成した前記画像ファイルを格納するべく制御することを特徴とする請求項１６記載の撮像方法。
【発明の詳細な説明】
【技術分野】
【０００１】
この発明は、画像ファイルの日時情報に応じて、画像ファイルを保存する画像フォルダを作成する撮像装置及び撮像方法に関する。
【背景技術】
【０００２】
デジタルカメラは、ＪＥＩＴＡ（社団法人  電子情報技術産業協会）が発行するＤＣＦ（Design rule for Camera File system）規格に準拠して、ファイル、フォルダを構成している。本規格では、デジタルカメラのフォルダ名、ファイル名の命名ルールについての規定があり、ファイルは０００１−９９９９まで、フォルダは１００−９９９までの数字で管理されている。
【０００３】
通常は、撮影を行うと、記憶媒体にフォルダが存在しない場合は、１００番のフォルダを作成し、そのフォルダ内に０００１番の画像ファイルを保存する。続けて撮影を行うと、前回撮影した画像ファイル番号＋１とし、１００番のフォルダ内に画像を保存する。継続して撮影を行うと画像番号が９９９９を超えるまで同一フォルダ内に画像が保存されることになる。
【０００４】
ＤＣＦ規格では、フォルダ名、ファイル名に制限があるため、画像及びフォルダをその名称で管理することが困難であるため、使用者は、関連する画像の集合体（以下、シーンと記す）をフォルダを区別して管理することが一般的である。つまり、シーンの区切りでフォルダを新規に作成し、新たなシーンは別のフォルダに保存されるようにする。このようなフォルダは、ユーザが任意に新規フォルダを作成してもよいが、更に、日付毎に画像フォルダを作成するものが知られている。
【０００５】
特許文献１には、作成日時に応じてフォルダを作成し、これにより、画像ファイルが日に応じて区別することができるデジタルカメラ装置が開示されている。
【特許文献１】特開２００１−０５４０４１号公報。
【発明の開示】
【発明が解決しようとする課題】
【０００６】
しかし、上述した従来技術においては、日に応じてフォルダを作成する技術が示されているものの、必ずしも１日に１フォルダが適正であるとは言えず、使用状況に応じて、適宜、画像フォルダを生成することができないため、画像フォルダが多すぎたり、不要な画像フォルダが作成されてしまう等の不具合がある。
【０００７】
本発明は、使用状況に応じて適正な画像フォルダを自動的に生成することで、容易に複数の画像ファイルを管理できる撮像装置及び撮像方法を提供することを目的とする。
【課題を解決するための手段】
【０００８】
本発明の一実施形態は、被写体を撮影しこの画像情報に応じて、作成日時を伴う画像ファイルを作成する作成部と、記録領域を有する記録部と、前記記録領域内に作成されている画像フォルダの作成日時を検出し、前記画像ファイルの作成日時から前記画像フォルダの作成日時までの期間が、予め設定された日時間隔よりも長い場合、新たに画像フォルダを前記記録部の記憶領域内に作成し、この下に前記作成部で作成した前記画像ファイルを格納するべく制御する制御部とを具備することを特徴とする撮像装置である。
【発明の効果】
【０００９】
上記の撮像装置においては、１日１フォルダに限らず、ユーザが任意に、日時と画像フォルダとの関係を設定することにより、例えば、３日に１フォルダや、１週間に１フォルダ等の日時間隔の設定を任意に行うことができる。従って、使用状況に応じて、頻繁に画像ファイルを分類したい場合は、日時間隔を短く設定し、あまり使用しない場合は、１週間等のように長く日時間隔を設定する等の調整が可能となる。これにより、使用状況に応じて自動的で容易な画像ファイルの管理を行うことが可能となる。
【００１０】
又、期間だけではなく、様々な管理情報や履歴情報に応じて、画像フォルダを自動的に作成することで、多くの使用状況に応じた画像ファイルの管理動作を可能とするものである。
【発明を実施するための最良の形態】
【００１１】
以下、この発明の実施の形態について図面を参照して詳細に説明する。  
＜本発明に係る撮像装置の構成と動作＞
初めに、本発明に係る撮像装置（例えば、デジタルスチルカメラ（動画処理機能を伴うことも可能））の構成と動作について、図面を用いて詳細に説明する。図１は、本発明の一実施形態に係る撮像装置の構成の一例を示すブロック図、図２は、同じく概観の一例を示す概観図、図３乃至図５は、同じく画像フォルダと画像ファイルとのファイル構成の一例を示す説明図である。
【００１２】
本発明に係る撮像装置１（一例として、デジタルスチルカメラ）は、図１及び図２に示すように、被写体からの撮像光を受けるレンズ１１と、レンズ１１で結像した画像光を受けるＣＣＤ１２と、この画像光に応じてＣＣＤ１２から出力された電気信号を受けるＡ／Ｄ変換器１３と、Ａ／Ｄ変換器１３からの出力信号（画像データ）を受け画像処理を行う信号処理回路１５と、画像処理された画像データを一旦格納する、インタフェースを介して着脱可能なメモリ１４（又は着脱不可能なものであっても可能）とを有している。更に、撮像装置１は、各部に接続され、全体の動作の制御や後述する画像フォルダの作成等をフォルダ制御を行うＣＰＵ１８を有しており、更に、メモリ１４に蓄えられた画像データを画像ファイル化して格納する、例えば、ハードディスク等や大型メモリ等の記憶装置１９と、メモリ１４や記憶装置１９に格納された画像ファイルに応じた画像を表示する液晶画面等の表示部１６とを有しており、シャッタやモードスイッチ等の操作スイッチや、光センサ等の検出回路１７からの信号に応じて、ＣＰＵ１８の制御により動作するものである。
【００１３】
すなわち、本発明に係る撮像装置１は、上述した構成により、ＣＰＵ１８の制御下において、レンズ１１を介して被写体からの撮像光を受け、レンズ１１で結像した画像に応じたＣＣＤ１２から出力される画像データをＡ／Ｄ変換器１３により変換し、この変換された画像データを信号処理回路１５において、適宜、画像処理を行って、メモリ１４等に一旦格納する。その後、必要に応じて、後述するように、画像フォルダをメモリ１４又は記憶装置１９内に作成し、この画像データを画像ファイル化して格納する。更に、操作に応じて、液晶画面等の表示部１６に画像ファイルに応じた画像を表示するものである。
【００１４】
又、ここで、この複数の画像ファイルと画像フォルダとの関係を図３乃至図５を用いて説明すると、図３に示すように、複数の画像ファイルであるＰＤＲ＿０００１．ｊｐｇ乃至ＰＤＲ＿９９９９．ｊｐｇは、一例として、それぞれ、何かの画像フォルダ１００ＴＯＳＨＩ乃至９９９ＴＯＳＨＩに格納されている。そして、ここでは、図４に示すように、例えば、シーン毎に、異なるフォルダ１００ＴＯＳＨＩ，１０１ＴＯＳＨＩで区別されていれば、ユーザにとっての管理は、容易で便利なものとなる。
【００１５】
又、更に、図５に示すように、一例として、複数の画像フォルダに分散されていた画像ファイルを、ユーザの都合により、一つの画像フォルダ１００に集めて管理することも可能である。しかしながら、このような画像フォルダと画像ファイルの移動、管理の操作の全てを、ユーザによるマニュアルで逐一行うことは、ユーザへの負担となるため、使用状況に応じて、自動的に、画像フォルダの作成や画像ファイルの保存がなされることで、ユーザの負担は大きく軽減されるものである。
【００１６】
＜本発明に係る撮像装置の画像フォルダ作成処理＞  
次に、本発明の特徴である画像フォルダ作成処理について、以下に図面を用いて、詳細に説明する。図６は、本発明の一実施形態に係る撮像装置の画像フォルダ作成方法の一例を示すフローチャート、図７は、同じく画像フォルダ作成時の日時範囲を設定する画面の一例を示す説明図、図８は、同じく画像フォルダ作成時の日時間隔を設定する画面の一例を示す説明図、図９乃至１２は、同じく画像フォルダ作成方法の一例を示すフローチャートである。
【００１７】
（設定された日時範囲と画像フォルダの生成日時の比較：図６）
本発明に係る撮像装置１においては、ユーザの設定に応じて、ＣＰＵ１８の画像フォルダ管理機能として、画像フォルダを自動作成して、複数の画像ファイルを適宜、分類して管理するものである。すなわち、図６のフローチャートにおいて、画像フォルダや画像ファイルは、一例としてＤＣＦ規格に準拠しており、画像フォルダは、図１乃至図３に示すように１００ＴＯＳＨＩ，１０１ＴＯＳＨＩのような、３桁の数字で管理されている画像を保存するフォルダが知られているが、本発明の実施形態はこれに限定されるものではない。ＣＰＵ１８の制御下において、レンズ１１で結像した画像に応じた画像データは画像ファイル化され、例えば、メモリ１４に蓄えられるが（Ｓ１１）、この際に、画像ファイルのヘッダ部に日付情報Ｔ１を付加する（Ｓ１２）。その後、メモリ１４（又は記録装置１９）に、画像フォルダが存在するかを判別し（Ｓ１３）、例えば、画像フォルダが存在しない場合、フォルダ番号１００のフォルダを新規に作成して（Ｓ１４）、画像ファイルのファイル番号を０００１と命名して（Ｓ１５）、画像ファイルをメモリ１４（又は記録装置１９）の新規の画像フォルダに保存する（Ｓ１６）。
【００１８】
しかし、既に画像フォルダが存在する場合（Ｓ１３）、この画像フォルダの作成日時Ｔ２を取得し（Ｓ１７）、更に、画像ファイルの日時情報Ｔ１を基準に、ユーザが指定した日時範囲（１日、又は１週間、又は１ヶ月等）に応じて、開始日時Ｔ３、終了日時Ｔ４を決定する（Ｓ１８）。ここで、日時範囲は、例えば、図７に示す日時間隔選択メニューにおいて、ユーザが任意に設定することができるものである。そして、先に存在した画像フォルダの内の最新のものが、ここで指定された日時範囲に含まれているかを判断する（Ｓ１９）。すなわち、Ｔ３≦Ｔ２＜Ｔ４であるか否かを判断する。
【００１９】
ここで、既存の画像フォルダの最新のものが指定された日時範囲に含まれていれば、新たな画像フォルダの作成の必要はなくなり、画像ファイルのファイル名を、ファイル番号＝最新ファイル＋１として設定し（Ｓ２０）、画像ファイルを記録媒体のこの画像フォルダ内に保存する（Ｓ１６）。
【００２０】
しかし、既存の最新の画像フォルダが指定された日時範囲に含まれないほど古いものであれば、新たな画像フォルダをユーザの指示を待たずに自動的に作成するものであり、例えば、フォルダ番号＝最新フォルダ＋１として、新たな画像フォルダを作成する（Ｓ２１）。そして、画像ファイルのファイル名をファイル番号＝０００１として設定し、画像ファイルをメモリ１４（又は記録装置１９）の新規の画像フォルダに保存する（Ｓ１６）。
【００２１】
このように、ユーザが指定した日時範囲（１日、又は１週間、又は１ヶ月等）に応じて、既成の画像フォルダで画像ファイルを保存するか、新しい画像フォルダを作成するかを自動的に判断し、必要に応じて画像フォルダを作成し、画像ファイルを保存することにより、容易に使用状況に応じた画像フォルダ作成や画像ファイルの管理を行うことが可能となる。
【００２２】
（設定された日時範囲（起算日時含む）と画像フォルダの生成日時の比較：図８）
更に、図８に示すように、本発明に係る日時の比較処理に、起算日時を含ませることも可能である。すなわち、日時範囲を、起算日時と日付を選択することにより、日単位だけではなく、週間単位、日単位等の指定も可能としている。図８の（ａ）は午前３時から翌日の午前３時までの日単位、（ｂ）は日曜日の午前３時から翌週の日曜日の午前３時までの週間単位、（ｃ）は１日の午前３時から翌月１日の午前３時までの月単位で画像フォルダが更新されることになる。起算日時を含ませた場合の比較処理は、例えば、以下のようなものとなる。
【００２３】
すなわち、画像ファイルの生成日時Ｔ１が、９月１０日０２：００であれば、図８に示すように起算時刻が０３：００であり、これにより、開始日時Ｔ３は、９月９日０３：００、終了日時Ｔ４は、９月１０日０３：００となる。
【００２４】
一方、画像ファイルの生成日時Ｔ１が、９月１０日０４：００であれば、図８に示すように起算時刻が０３：００であり、これにより、開始日時Ｔ３は、９月１０日０３：００、終了日時Ｔ４は、９月１１日０３：００となる。
【００２５】
従って、既に存在する画像フォルダの作成日時が、９月９日１２：００であれば、前者の場合は、この日時範囲に含まれるとして、新たな画像フォルダは、作成しないが、後者の場合は、この日時範囲に含まれないものとして、新たな画像フォルダを作成することとなる。
【００２６】
このように、起算日時を設けることで、単に日付だけで、画像フォルダの作成の可否を決定するのではなく、常識的な画像フォルダの管理時刻（起算日時）により、自動的に画像フォルダの作成の可否を判断し、作成することが可能となる。
【００２７】
又、図６のフローチャートの比較処理は、図９のフローチャートのステップＳ３１に示すように、例えば、図７の設定画面で設定された所定期間に対して、画像ファイルの作成された日時情報Ｔ１と最新の画像フォルダの作成日時との間隔が大きいものかどうか、所定期間を経過しているかどうかにより判断する、と表現してもよい。同様に、所定期間を経過していれば、古い画像フォルダとして、ステップＳ２１以降において、画像フォルダが新たに作成されるものである。
【００２８】
（複数の画像ファイル間の作成日時の比較：図１０）
又、更に、本発明に係る撮像装置１の画像フォルダ作成処理は、図１０のフローチャートに示すように、ステップＳ３２において、既に存在していた画像フォルダ中の画像ファイルの最新の日付情報が、現在、撮影され、画像ファイル化された日付情報Ｔ１から、所定期間を経過しているかどうかにより、画像フォルダを作成するか否かを判断することが好適である。これにより、多くの画像ファイルの種類を容易に分類することが可能となる。
【００２９】
又、更に、画像フォルダを作成する際の条件として、既に存在していた画像フォルダ中の画像ファイルの枚数は所定枚数を超えているかどうかを加えることも好適である。このように、画像ファイルの枚数（例えば、３枚以上等）に制限を加えることで、画像ファイルが少ない割に、画像フォルダが沢山できてしまう等の不具合を回避することができる。
【００３０】
（画像ファイルの転送履歴：図１１）
又、更に、本発明に係る撮像装置１の画像フォルダ作成処理は、図１１のフローチャートに示すように、ステップＳ３３において、既に存在していた画像フォルダ中の最新の画像ファイルの作成日時の以降に、外部へ画像ファイルを転送した履歴が存在するかどうかを問うものである。なお、この画像ファイル転送履歴情報は、例えば、ＣＰＵ１８において保存されているものである。このように、既存の画像フォルダ中の最新の画像ファイルの作成日時の以降に、画像ファイル転送履歴があるということは、その後、この画像フォルダの撮影とは異なった状況で、今回の撮影が行われている可能性が非常に高いため、新たな画像フォルダを作成したほうがよいと判断するものである。これにより、実施の撮影状況に即した画像フォルダの管理を行うことができる。
【００３１】
（画像ファイルの転送履歴：図１２）
又、更に、本発明に係る撮像装置１の画像フォルダ作成処理は、図１２のフローチャートに示すように、ステップＳ３４において、既に存在していた画像フォルダ中の最新の画像ファイルの作成日時の以降に、メモリカード１４等が着脱された履歴、又は、画像ファイルの印刷命令の履歴、又は、撮像装置１の図示しない電源である充電池を充電した履歴、又は、撮像装置１の図示しない電源である電池の電池交換の履歴、又は、人物モードや風景モード等の撮影モードを変更した履歴が存在するかを問うものである。これらの履歴の一つが例えば、ＣＰＵ１８に存在するかどうかにより、新たな画像フォルダを作成すべきかどうかを判断するものである。これらの履歴情報の有無は、必ずしも全てについて問う必要はなく、使用状況に応じて、ユーザは任意に設定することが可能である。
【００３２】
すなわち、これらの履歴情報の有無のうち、例えば、メニュ画面から充電履歴のみを条件として設定することが可能となる。又、これらの履歴情報を複数組み合わせて、アンド条件により、又は、単にオワ条件として設定することが可能である。
【００３３】
このように、実際の撮像装置１の使用状況に応じて、画像フォルダ作成の条件を任意に設定することにより、ユーザが本当に望んでいるタイミングで画像フォルダが自動的に作成されることとなる。これにより、ユーザは特に意識することなく被写体に対してシャッタを切っていくだけで、最も望んだ状態で、多くの画像ファイルが画像フォルダにより管理されて、例えば、メモリ１４の記憶領域において、又は、大型のメモリ又はハードディスクドライバである記憶装置１９の記憶領域において、自動的に保存されていくものである。
【００３４】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００３５】
【図１】本発明の一実施形態に係る撮像装置の構成の一例を示すブロック図。
【図２】本発明の一実施形態に係る撮像装置の概観の一例を示す概観図。
【図３】本発明の一実施形態に係る撮像装置の画像フォルダと画像ファイルとのファイル構成の一例を示す説明図。
【図４】本発明の一実施形態に係る撮像装置の画像フォルダと画像ファイルとのファイル構成の一例を示す説明図。
【図５】本発明の一実施形態に係る撮像装置の画像フォルダと画像ファイルとのファイル構成の一例を示す説明図。
【図６】本発明の一実施形態に係る撮像装置の画像フォルダ作成方法の一例を示すフローチャート。
【図７】本発明の一実施形態に係る撮像装置の画像フォルダ作成時の日時範囲を設定する画面の一例を示す説明図。
【図８】本発明の一実施形態に係る撮像装置の画像フォルダ作成時の日時間隔を設定する画面の一例を示す説明図。
【図９】本発明の一実施形態に係る撮像装置の画像フォルダ作成方法の一例を示すフローチャート。
【図１０】本発明の一実施形態に係る撮像装置の画像フォルダ作成方法の一例を示すフローチャート。
【図１１】本発明の一実施形態に係る撮像装置の画像フォルダ作成方法の一例を示すフローチャート。
【図１２】本発明の一実施形態に係る撮像装置の画像フォルダ作成方法の一例を示すフローチャート。
【符号の説明】
【００３６】
１１…レンズ、１２…ＣＣＤ、１３…Ａ／Ｄ変調器、１４…メモリ、１５…信号処理回路、１６…表示装置、１７…ＳＷ・検出回路、１８…ＣＰＵ（フォルダ制御）、１９…記憶装置。
【図１】
2006074208.tif 000003
【図２】
2006074208.tif 000004
【図３】
2006074208.tif 000005
【図４】
2006074208.tif 000006
【図５】
2006074208.tif 000007
【図６】
2006074208.tif 000008
【図７】
2006074208.tif 000009
【図８】
2006074208.tif 000010
【図９】
2006074208.tif 000011
【図１０】
2006074208.tif 000012
【図１１】
2006074208.tif 000013
【図１２】
2006074208.tif 000014